(57)【要約】【課題】  搬送の過程で大きな振動が繰り返し生じたとしても被搬送物に悪影響を与えない搬送容器を提供する。【解決手段】  培養骨Ｓを浸す培養液Ｌを内側に湛える容器本体１０と、容器本体１０の内側に配置された軟性の緩衝部材２０とを備え、緩衝部材２０は容器本体１０の内壁面に沿って配置され、培養液Ｌの液面から上方に突き出した緩衝部材２０の上部に、容器本体１０の中央に向かって張り出して培養液Ｌの液面に生じる波を打ち消す消波部２２が形成されている搬送容器を採用する。【選択図】  図３
2005170437.tif 000002
【特許請求の範囲】
【請求項１】
被搬送物を浸す液体を内側に湛えられる容器本体と、
前記容器本体の内側に配置された軟性の緩衝部材とを備えることを特徴とする搬送容器。
【請求項２】
前記緩衝部材が前記容器本体の内壁面に沿って配置され、
前記液体の液面から上方に突き出した前記緩衝部材の上部に、前記容器本体の中央に向かって張り出して前記液体に生じる波を打ち消す消波部が形成されていることを特徴とする請求項１記載の搬送容器。
【請求項３】
前記緩衝部材が前記容器本体の底面に沿って配置され、
前記液体に浸された前記緩衝部材の上面に、前記被搬送物が個別に嵌る凹部が形成されていることを特徴とする請求項１記載の搬送容器。
【請求項４】
前記緩衝部材が、前記容器本体とは別個に、前記被搬送物の間を埋めるようにして前記液体中に配置される複数の粒状体であることを特徴とする請求項１記載の搬送容器。
【発明の詳細な説明】
【技術分野】
【０００１】
本発明は、例えば培養骨のような生体組織を搬送する搬送容器に関する。
【背景技術】
【０００２】
再生医療において、例えば欠損した骨の再生を行う場合は、まず、患者の骨芽細胞を採取し、採取した骨芽細胞を骨の基となるスキャホールド（担体）に植え付け、培養装置によって十分に細胞を成長させる。そして、細胞の育った培養骨を、患者の体内の骨が欠損した部分に移植する治療を行う。欠損部分に置かれた培養骨は、時間が経つにつれて周囲の骨と同化し、これによって骨が再生される。
【０００３】
上記の治療に際しては、培養装置を備える施設から実際に治療を行う医療機関等の現場へと培養骨を搬送する必要があり、培養骨を収めて搬送するための搬送容器についても様々な検討がなされている。
【０００４】
生体組織を搬送する技術としては、下記の特許文献１に、昇温してゾル化させたゼラチン溶液中に培養皮膚を配置した後、ゼラチン溶液を降温してゲル化させ、ゲル化させたゼラチンによって培養皮膚を固定することが記載されている。
【特許文献１】特開平０８−０２３９６８号公報
【特許文献２】特許２６３８７３８号
【発明の開示】
【発明が解決しようとする課題】
【０００５】
培養骨を、培養液を満たした容器に入れて搬送する場合、搬送の過程で大きな振動が生じると、培養骨が容器の内面にぶつかったり培養骨どうしがぶつかったりして、細胞が傷付いたり組織がくずれたりする可能性がある。
また、搬送の過程で大きな振動が繰り返し生じると、容器内の培養液が波立って気泡が発生する可能性がある。培養液に気泡が発生すると、培養骨表面に泡が付着して培養骨表面の細胞が剥がれる可能性がある。
【０００６】
本発明は上記の事情に鑑みてなされたものであり、搬送の過程で大きな振動が繰り返し生じたとしても被搬送物に悪影響を与えない搬送容器を提供することを目的としている。
【課題を解決するための手段】
【０００７】
上記の課題を解決するための手段として、次のような構成の搬送容器を採用する。すなわち本発明の請求項１記載の搬送容器は、被搬送物を浸す液体を内側に湛えられる容器本体と、前記容器本体の内側に配置された軟性の緩衝部材とを備えることを特徴とする。
【０００８】
本発明においては、搬送の過程で大きな振動が生じ、被搬送物が液体中で不規則に揺れ動いても、容器本体の内側に配置された軟性の緩衝部材にぶつかって衝撃を吸収されるので、被搬送物が傷付いたりくずれたりすることがない。
【０００９】
請求項２記載の搬送容器は、請求項１記載の搬送容器において、前記緩衝部材が前記容器本体の内壁面に沿って配置され、前記液体の液面から上方に突き出した前記緩衝部材の上部に、前記容器本体の中央に向かって張り出して前記液体に生じる波を打ち消す消波部が形成されていることを特徴とする。
【００１０】
本発明においては、搬送の過程で大きな振動が生じ、容器内の液体が波立っても、消波部が波を打ち消して気泡の発生を抑えるので、被搬送物の表面に泡が付着することがなく、気泡による被搬送物表面の浸食が起きない。
【００１１】
請求項３記載の搬送容器は、請求項１記載の搬送容器において、前記緩衝部材が前記容器本体の底面に沿って配置され、前記液体に浸された前記緩衝部材の上面に、前記被搬送物が個別に嵌る凹部が形成されていることを特徴とする。
【００１２】
本発明においては、搬送の過程で大きな振動が生じ、被搬送物に液体中で不規則に揺れ動くような力が作用しても、被搬送物が凹部に嵌って軟性の緩衝部材上に保持され、被搬送物が容器本体と擦れ合ったりぶつかったりすることがないので、被搬送物が傷付いたりくずれたりすることがない。さらに、被搬送物が凹部に嵌り込んで個別に保持され、お互いにぶつかり合うことがないので、被搬送物が傷付いたりくずれたりすることがない。
【００１３】
請求項４記載の搬送容器は、請求項１記載の搬送容器において、前記緩衝部材が、前記容器本体とは別個に、前記被搬送物の間を埋めるようにして前記液体中に配置される複数の粒状体であることを特徴とする。
【００１４】
本発明においては、搬送の過程で大きな振動が生じ、被搬送物に液体中で不規則に揺れ動くような力が作用しても、被搬送物が、液体中に配置された複数の緩衝部材にぶつかって衝撃を吸収されるので、被搬送物が傷付いたりくずれたりすることがない。
【発明の効果】
【００１５】
本発明によれば、搬送の過程で大きな振動が繰り返し生じたとしても、被搬送物に悪影響を与えず、健全な状態のまま搬送することができる。
【発明を実施するための最良の形態】
【００１６】
本発明の搬送容器の第１の実施形態を図１から図３に示して説明する。
本実施形態の搬送容器は、容器本体１０と、容器本体１０の内側に配置された緩衝部材２０とを備えている。容器本体１０の材料には、耐食性に優れたプラスチックが採用されている。緩衝部材２０の材料には、エラストマーゴム等、培養骨と比較しても同等もしくはそれに準じる程度の十分に柔らかい弾性材料が採用されている。
【００１７】
容器本体１０は、底部１１が円形でその周囲に高さの等しい壁部１２が形成された形状をなしている。容器本体１０の内側には、培養骨（被搬送物）Ｓを浸す培養液Ｌが、培養骨Ｓが液中にちょうど没する程度に湛えられる。
緩衝部材２０は、円筒状をなし、容器本体１０の壁部１２の内側面に沿うようにして配置されている。緩衝部材２０の外径は、壁部１２の内径よりも若干小さく、容器本体１０の内側に配置された状態では底部１１上でガタついたりズレたりしないようになっている。また、緩衝部材２０の高さ（幅）は、容器本体１０の壁部１２よりも若干低く、容器本体１０の内側に湛えた培養液Ｌの液面から上縁が上方に突き出す程度の寸法となっている。なお、緩衝部材２０は、容器本体１０の内側に置かれるだけで、容器本体１０に固着されてはいない。
【００１８】
緩衝部材２０には、周方向に等間隔に離間して、下縁から三角形に切り込こまれたように切欠部２１が形成されている。培養液Ｌの液面から上方に突き出した上縁には、培養液Ｌに生じた波を打ち消す消波部２２が設けられている。消波部２２は、容器本体１０の内側に向かって張り出し、周方向に沿って無端状に形成されている。消波部２２は緩衝部材２０の一部をなしており、同じ材料を使って一体成形されている。
【００１９】
上記のように構成された搬送容器に培養液Ｌを入れ、複数の培養骨Ｓを入れて搬送する場合、搬送の過程で大きな振動が生じ、培養骨Ｓが液体中で不規則に揺れ動いても、容器本体１０の内側面に沿って配置された軟性の緩衝部材２０にぶつかって衝撃を吸収されるので、培養骨Ｓが傷付いたりくずれたりすることがない。
また、搬送の過程で大きな振動が生じ、培養液Ｌが波立っても、消波部２２が液面に立つ波を打ち消して気泡の発生を抑えるので、培養骨Ｓの表面に泡が付着することがなく、培養骨Ｓの表面の気泡による浸食が起きない。消波部２２は、容器本体１０の全周にわたって設けられているので、いかなる方向に起こった波にも消波の効果を発揮することができる。
したがって、搬送の過程で大きな振動が繰り返し生じても、培養骨Ｓに悪影響を与えず、健全な状態のまま搬送することができる。
【００２０】
次に、本発明の搬送容器の第２の実施形態を図４に示して説明する。なお、上記第１の実施形態において既に説明した構成要素には同一符号を付して説明は省略する。
本実施形態の搬送容器は、容器本体１０と、容器本体１０の底面に沿って配置された緩衝部材３０とを備えている。緩衝部材３０の材料にも、エラストマーゴム等、培養骨と比較しても同等もしくはそれに準じる程度の十分に柔らかい弾性材料が採用されている。
緩衝部材３０は、円形の板状をなし、すべてが液中に没するようにして配置されている。緩衝部材３０には、上下から型押しされたように交互に並ぶ凹凸が形成されており、その上面には、隣り合うものどうし等間隔を空けて規則的に配置された凹部３１が形成されている。凹部３１には、培養骨Ｓが自重により沈降してひとつずつ嵌り込むことになるが、凹部３１の大きさは搬送すべき培養骨Ｓに比べて大きく、さらに隣り合うふたつの凹部３１の間隔は、それぞれに嵌った培養骨Ｓどうしが触れ合わない十分な距離が確保されている。
【００２１】
上記のように構成された搬送容器に培養液Ｌを入れ、複数の培養骨Ｓを入れて搬送する場合、搬送の過程で大きな振動が生じ、培養骨Ｓに液体中で不規則に揺れ動くような力が作用しても、培養骨Ｓが個々に凹部３１に嵌って衝撃収集部材３０上の定位置に保持され、培養骨Ｓが容器本体１０と擦れ合ったりぶつかったりすることがないので、培養骨Ｓが傷付いたりくずれたりすることがない。さらに、培養骨Ｓが凹部３１に嵌り込んで個別に保持され、お互いにぶつかり合うことがないので、培養骨Ｓが傷付いたりくずれたりすることがない。
したがって、搬送の過程で大きな振動が繰り返し生じても、培養骨Ｓに悪影響を与えず、健全な状態のまま搬送することができる。
【００２２】
次に、本発明の搬送容器の第３の実施形態を図５に示して説明する。なお、上記の各実施形態において既に説明した構成要素には同一符号を付して説明は省略する。
本実施形態のの搬送容器は、容器本体１０と、容器本体１０の液中に、培養骨Ｓの間を埋めるようにして配置された複数の緩衝部材４０とを備えている。緩衝部材４０の材料にも、エラストマーゴム等、培養骨と比較しても同等もしくはそれに準じる程度の十分に柔らかい弾性材料が採用されている。
緩衝部材４０は、容器本体１０とは別個に、培養骨Ｓの間を埋めるようにして液中に配置される粒状体であり、いずれもほぼ同じ大きさの球形をなしている。
【００２３】
上記のように構成された搬送容器に培養液Ｌを入れ、複数の培養骨Ｓを入れて搬送する場合、搬送の過程で大きな振動が生じ、培養骨Ｓに液中で不規則に揺れ動くような力が作用しても、培養骨Ｓが、液中に配置された複数の緩衝部材４０にぶつかって衝撃を吸収されるので、培養骨Ｓが傷付いたりくずれたりすることがない。
また、複数の緩衝部材４０が消波の効果を発揮して気泡の発生を抑えるので、培養骨Ｓの表面に泡が付着することがなく、培養骨Ｓの表面の気泡による浸食が起きない。
【００２４】
なお、本発明においては、上記第１から第３の実施形態を組み合わせるとより効果的である。
【産業上の利用可能性】
【００２５】
上記の各実施形態においては、培養骨の搬送を目的とする搬送容器について説明したが、本発明の搬送容器は、培養骨に限らず、培養皮膚や細胞塊等の生体組織を含む被搬送物を搬送する際に使用することが好適である。
【図面の簡単な説明】
【００２６】
【図１】本発明の搬送容器の第１の実施形態を示す斜視図である。
【図２】図１の搬送容器の分解斜視図である。
【図３】図１の搬送容器を縦方向に破断した断面図である。
【図４】本発明の搬送容器の第２の実施形態を示す図であって、搬送容器を縦方向に破断した断面図である。
【図５】本発明の搬送容器の第３の実施形態を示す図であって、搬送容器を縦方向に破断した断面図である。
【符号の説明】
【００２７】
１０      容器本体
２０      緩衝部材
２１      切欠部
２２      消波部
３０      緩衝部材
３１      凹部
４０      緩衝部材
Ｓ        培養骨（被搬送物）
Ｌ        培養液
【図１】
2005170437.tif 000003
【図２】
2005170437.tif 000004
【図３】
2005170437.tif 000005
【図４】
2005170437.tif 000006
【図５】
2005170437.tif 000007